(57)【要約】【課題】安価なサイドビュー型のＬＥＤを好適に保持することによって、光軸の位置決め精度を向上させるＬＥＤホルダを提供する。【解決手段】本発明は、例えば、出射端側に球状レンズを有する前面部材と、前面部材に接着又は融着される背面部材と、前面部材及び背面部材により封止される発光部とを有するサイドビュー型のＬＥＤを保持するＬＥＤホルダとして実現できる。本ＬＥＤホルダは、ＬＥＤを受け入れる受け入れ部と、受け入れ部の一部を形成し、背面部材を保持することなく前面部材を少なくとも２方向から挟み込んで保持するための第１保持部材と第２保持部材とを有する保持部とを含む。【選択図】図５Ｂ
2008117808.tif 000002
【特許請求の範囲】
【請求項１】
出射端側に球状レンズを有する前面部材と、該前面部材に接着又は融着される背面部材と、該前面部材及び該背面部材により封止される発光部とを有するサイドビュー型のＬＥＤを保持するＬＥＤホルダであって、
前記ＬＥＤを受け入れる受け入れ部と、
前記受け入れ部の一部を形成し、前記背面部材を保持することなく前記前面部材を少なくとも２方向から挟み込んで保持するための第１保持部材と第２保持部材とを有する保持部と
を含むことを特徴とするＬＥＤホルダ。
【請求項２】
前記保持部は、
前記第１保持部材及び前記第２保持部材の少なくとも一方が弾性体で形成されている
ことを特徴とする請求項１に記載のＬＥＤホルダ。
【請求項３】
前記受け入れ部は、
前記前面部材の球状レンズの外形に合わせて形成されているレンズ受け部を
含むことを特徴とする請求項１又は２に記載のＬＥＤホルダ。
【請求項４】
前記受け入れ部の内壁の寸法は、
前記背面部材の側面と、該側面に対向する前記受け入れ部の内壁との干渉を抑制するために、前記前面部材と前記背面部材との組み付け公差を許容するように設計されている
ことを特徴とする請求項１乃至３の何れか１項に記載のＬＥＤホルダ。
【請求項５】
前記第１保持部材及び前記第２保持部材は、前記ＬＥＤを受け入れる際に、前記第１保持部材及び前記第２保持部材により形成される挿入口と前記ＬＥＤとによって発生しうる摩擦力を緩和するために、該挿入口を確定する前記第１保持部材及び前記第２保持部材の各縁部に切り欠き部が設けられている
ことを特徴とする請求項１乃至４の何れか１項に記載のＬＥＤホルダ。
【請求項６】
前記前面部材を保持するための前記第１保持部材及び前記第２保持部材の各保持面は、該前面部材の外形に合わせて形成されている
ことを特徴とする請求項５に記載のＬＥＤホルダ。
【請求項７】
前記第１保持部材及び前記第２保持部材の各保持面の幅は、
前記前面部材と前記背面部材との接着によって形成される接着剤のはみ出し部分を許容するために、前記保持面により保持される前記前面部材の側面の幅よりも狭く形成されている
ことを特徴とする請求項１乃至６の何れか１項に記載のＬＥＤホルダ。
【請求項８】
ＬＥＤ装置であって、
サイドビュー型のＬＥＤと、
前記ＬＥＤを保持するＬＥＤホルダと
を含み、
前記ＬＥＤは、
出射端側に球状レンズを有する前面部材と、
前記前面部材に接着又は融着される背面部材と、
前記前面部材及び前記背面部材により封止される発光部とを含み、
前記ＬＥＤホルダは、
前記ＬＥＤを受け入れる受け入れ部と、
前記受け入れ部の一部を形成し、前記背面部材を保持することなく前記前面部材を少なくとも２方向から挟み込んで保持するための第１保持部材と第２保持部材とを有する保持部と
を含むことを特徴とするＬＥＤ装置。
【発明の詳細な説明】
【技術分野】
【０００１】
本発明は、ＬＥＤを保持するＬＥＤホルダに関する。特に、本発明は、前面部材及び背面部材を有するサイドビュー型のＬＥＤを保持するＬＥＤホルダに関する。
【背景技術】
【０００２】
近年、ＬＥＤを用いた光学センサが急速に普及している。ＬＥＤは、単純なフォトインタラプタから、レーザなみの高精度なスポット及び光軸についても必要とされている。このような高精度なＬＥＤについては、できるだけ安価に光軸の精度を高めることが求められている。
【０００３】
特許文献１及び特許文献２は、砲弾型のＬＥＤに関して、ＬＥＤの光軸を位置決めするため、当該ＬＥＤの外形に沿ったガイドを有するＬＥＤホルダを示している。これらのＬＥＤホルダは、光軸が一定範囲内に納まるようなガイドを備えている。特許文献３は、光学センサの配置の自由度を得るとともに、光学センサをセンサ配置部に適正に固定する駆動モジュールのセンサ配置構造を示している。特許文献３に記載のセンサ配置構造は、検査後の光軸の手直しが可能であるため、廃棄する製品を削減しうる。
【０００４】
また、一般的なリモコン等に用いられているサイドビュー型のＬＥＤについても広く普及している。サイドビュー型のＬＥＤ素子の形状には、砲弾型のＬＥＤと同様に一体成形されるタイプや、前面部材及び背面部材を張り合わせてその中に発光部を封止するタイプがある。一般に、一体成形タイプのＬＥＤは、ＣＤ、ＤＶＤ等のピックアップ制御など、高精度な位置決めを要求する分野で利用される。一方、前面部材及び背面部材を張り合わせた中に発光部を封止するタイプのＬＥＤは、リモコン等、比較的光軸がばらついても問題ない分野へ利用される。
【特許文献１】特開平０９−７９８７３号公報
【特許文献２】特開平０９−２３１４８６号公報
【特許文献３】特開２００６−７１８２５号公報
【発明の開示】
【発明が解決しようとする課題】
【０００５】
一体成形タイプのＬＥＤは、その構造的特徴から光軸の位置決め精度が出やすい構成となるが、生産コストが高いという問題がある。一方、前面部材及び背面部材を張り合わせた中に発光部を封止するタイプのＬＥＤは、比較的安価での製造が可能であるが、前面部材及び背面部材の組み付け公差に応じて光軸の精度に個体差が出るため、光軸の位置決め精度を高精度に保つことは難しい。
【０００６】
本発明は、上述の問題に鑑みて成されたものであり、安価なサイドビュー型のＬＥＤを好適に保持することによって、光軸の位置決め精度を向上させるＬＥＤホルダを提供することを目的とする。
【課題を解決するための手段】
【０００７】
本発明は、例えば、出射端側に球状レンズを有する前面部材と、前面部材に接着又は融着される背面部材と、前面部材及び背面部材により封止される発光部とを有するサイドビュー型のＬＥＤを保持するＬＥＤホルダとして実現できる。本ＬＥＤホルダは、ＬＥＤを受け入れる受け入れ部と、受け入れ部の一部を形成し、背面部材を保持することなく前面部材を少なくとも２方向から挟み込んで保持するための第１保持部材と第２保持部材とを有する保持部とを含む。
【発明の効果】
【０００８】
本発明は、安価なサイドビュー型のＬＥＤを好適に保持することによって、光軸の位置決め精度を向上させるＬＥＤホルダを提供できる。
【発明を実施するための最良の形態】
【０００９】
以下、本発明に係る実施形態について図面を用いて説明する。なお、以下の実施の形態は特許請求の範囲に記載された発明を限定するものでなく、また本実施形態で説明されている特徴の組み合わせの全てが本発明の解決手段に必須のものとは限らない。
【００１０】
まず、図１から図３を参照して、従来から利用されるＬＥＤ及びＬＥＤホルダについて説明する。図１は、砲弾型のＬＥＤを収容する一体型のＬＥＤホルダの構成を示す断面図である。
【００１１】
一体型のＬＥＤホルダ１００は、受け入れ部１０２、挿入口１０４、光放出孔１０５及び回路基板１０６を含む。受け入れ部１０２には、挿入口１０４からＬＥＤ１０１が挿入される。ＬＥＤ１０１は、前面の光放出孔１０５に光を投射する。ＬＥＤ１０１から導出されたリード１０３は、回路基板１０６にそのまま接続される。
【００１２】
このように、一体型のＬＥＤホルダ１００は、受け入れ部１０２にＬＥＤ１０１を挿入して収容保持し、前面に形成された光放出孔１０５に光を投射する構造であるため投射光量のバラツキがない。これは、図１に示すように、ＬＥＤ１０１の外形に沿った形で受け入れ部１０２が形成されるため、ＬＥＤ１０１を挿入した際に一定範囲内に光軸が収まる。しかしながら、一体型のＬＥＤホルダは、製造が困難であり、歩留まりの観点から一般的に高価である。
【００１３】
図２Ａ及び図２Ｂは、サイドビュータイプのＬＥＤの構成を示す図である。ここでは、前面部材及び背面部材を張り合わせた中に発光部を有する安価なサイドビュー型のＬＥＤについて説明する。
【００１４】
図２Ａは、正確に前面部材２０４と背面部材２０５とが接着又は融着されたＬＥＤ２００を示す。ＬＥＤ２００は、球状レンズ２０２を有する前面部材２０４と、前面部材２０４に接着又は融着される背面部材２０５と、前面部材２０４又は背面部材２０５の中に封止された発光部（不図示）とを含む。また、２０３は、ＬＥＤ２００から導出されるリードを示す。ここで、ＬＥＤ２００は、矢印Ｌ方向に光を出射する。前面部材２０４は、出射端側であるため、透光性の材質により形成されることが望ましい。背面部材２０５は、発光部及びリード２０３を挟み込むように前面部材２０４の出射方向に対して背面方向から前面部材２０４に接着又は融着される。
【００１５】
図２Ｂは、前面部材２０４と背面部材２０５とがずれた状態で接着又は融着されたＬＥＤ２１０を示す。前面部材２０４及び背面部材２０５は、製造時の組み付け公差の範囲で、図２Ｂに示すようにずれた状態で接着または融着されることがある。ここで、組み付け公差とは、機械加工による工作物の許容しうる最大寸法と最小寸法との差を示す。このように、前面部材及び背面部材がずれた状態で接着又は融着されたＬＥＤ２１０をＬＥＤホルダに装着すると、光軸にバラツキが生じることとなる。バラツキが生じる原理については、図３を用いて後述する。
【００１６】
図３Ａ乃至図３Ｃは、従来のＬＥＤ装置の構成を示す図である。ここでは、ＬＥＤ装置３００において、本発明と関係するＬＥＤホルダ３０１についてのみ説明を記載する。したがって、ＬＥＤ装置３００に含まれるフォトセンサ挿入部３１０については、本発明と関係しないため詳細な説明を省略する。なお、図３Ａに示すＬＥＤ装置３００は、上面カバーが外された状態を示す。
【００１７】
図３Ａに示すように、ＬＥＤホルダ３０１は、受け入れ部３０７、球面レンズ保持部３０４ａ、３０４ｂ、光ガイド口３０５、位置決め部３０３、後部突き当て凸部３０２及び光規制ガイド３０６ａ、３０６ｂを含む。受け入れ部３０７は、挿入されるＬＥＤ２００を受け入れるように形成される。球面レンズ保持部３０４ａ、３０４ｂは、ＬＥＤ２００が挿入された際に前面部材２０４の球面レンズ２０２を保持する。位置決め部３０３は、前面部材の出射端側における平坦部の位置を決めるガイドとなる。これにより、ＬＥＤ２００は、受け入れ部３０７に挿入された際の位置が決められる。後部突き当て凸部３０２は、凸部によって背面部材２０５を押圧することにより、前面部材２０４を位置決め部３０３に押し当ててＬＥＤ２００を固定する。光ガイド口３０５は、ＬＥＤ２００から出射された光を規定範囲内の方向へ誘導する。光規制ガイド３０６ａ、３０６ｂは、ＬＥＤ２００から発射した光の方向を規制するために設けられる。
【００１８】
図３Ｂは、図２Ａに示すＬＥＤ２００を受け入れ部３０７へ挿入した様子を示す。図３Ｂに示すように、前面部材２０４及び背面部材２０５が正確に接着された場合、ＬＥＤ２００の光軸は、光ガイド口３０５の方向へ精度よく一致する。一方、図３Ｃは、図２Ｂに示すＬＥＤ２１０を受け入れ部３０７へ挿入した様子を示す。図３Ｃに示すように、前面部材２０４及び背面部材２０５が組み付け公差の範囲で、ずれた状態で接着又は融着された場合、ＬＥＤ２１０の光軸は、光ガイド口３０５の方向からずれる可能性が高い。これは、ＬＥＤ２１０の重心が正確に組み付けられたＬＥＤ２００との重心と異なり、前面部材２０４の出射端側の平坦部と位置決め部３０３とがずれた状態でＬＥＤ２１０が装着されるために発生する。このように、光軸がずれると、出射する光量にバラツキが生じることとなる。そのため、従来から安価なサイドビュー型のＬＥＤ２００、２１０は、光軸に個体差があるため、比較的精度が低くとも利用可能なリモコン等のみに利用されていた。
【００１９】
［第１の実施形態］
次に図４及び図５を参照して、第１の実施形態について説明する。図４は、第１の実施形態に対応するＬＥＤ装置の構成を示す斜視図である。なお、ここでは、図３と同様の構成については、説明を省略する。即ち、従来のＬＥＤ装置３００から異なる構成についてのみ詳細な説明を記載する。
【００２０】
ＬＥＤホルダ３０１と同様に、ＬＥＤホルダ４０１は、受け入れ部４０７、光ガイド口４０５、位置決め部４０３、後部突き当て凸部４０２及び光規制ガイド４０６ａ、４０６ｂを含む。さらに、本実施形態によるＬＥＤホルダ４０１は、球面レンズ保持部３０４ａ、３０４ｂの代わりに前面部材２０４を保持するための保持部と、球状レンズ受け入れ部４０８とを含む。
【００２１】
保持部は、受け入れ部４０７の一部を形成し、背面部材２０５を保持することなく前面部材２０４を少なくとも２方向から挟み込んで保持するための保持部材４０４ａ、４０４ｂを含む。また、保持部材４０４ａ、４０４ｂは、少なくとも一方が弾性体で形成されることが望ましい。これにより、サイドビュー型のＬＥＤ２００、２１０を挿入する際に、弾性力によって容易に挿入が可能となる。球状レンズ受け入れ部４０８は、ＬＥＤ２００、２１０が挿入された際に、前面部材２０４の球状レンズ２０２を受け入れるように形成される。
【００２２】
図５Ａは、第１の実施形態に対応するＬＥＤホルダの構成を示す平面図である。図５Ａに示すように、ＬＥＤホルダ４０１は、上述した構成に加えて、受け入れ部４０７内にリード受け入れ部５０１をさらに含む。リード受け入れ部５０１には、ＬＥＤ２００、２１０のリード端子が挿入される。その後、ＬＥＤ２００、２１０は、球状レンズ受け入れ部４０８に球状レンズ２０２が突き当たるまでＬＥＤ挿入治具により受け入れ部４０７に挿入される。
【００２３】
図５Ｂ及び図５Ｃは、第１の実施形態に対応するＬＥＤが挿入されたＬＥＤホルダを示す図である。図５Ｂ及び図５Ｃは、ＬＥＤ２１０が球状レンズ受け入れ部４０８にあたり、挿入が完了した状態を示す。また、図５Ｂは平面図を示し、図５Ｃは断面図を示す。
【００２４】
ＬＥＤ２１０は、保持部材４０４ａ、４０４ｂにより２方向から弾性力を用いて挟み込まれる形で保持される。このように、本実施形態によるＬＥＤホルダ４０１は、保持部材４０４ａ、４０４ｂによって背面部材２０５を保持することなく前面部材２０４のみを保持する。これにより、ＬＥＤホルダ４０１は、前面部材２０４及び背面部材２０５の接着又は融着時に組み付け公差の範囲で発生するズレによる影響を受けない。したがって、本実施形態によるＬＥＤホルダ４０１は、安価なサイドビュー型のＬＥＤ２１０を利用する場合であっても、ＬＥＤ２１０を光ガイド口４０５の正対位置に装着して光軸のバラツキを抑制しうる。よって、ＬＥＤホルダ４０１の装着されたＬＥＤ２１０は、高精度なＬＥＤが必要とされる製品、例えば光学センサとしても適用可能である。
【００２５】
また、ＬＥＤ２１０の出射端側の平坦部は、後部突き当て凸部４０２からの押圧により前部位置決め部４０３へ突き当てられて当該ＬＥＤ２１０の位置が決定される。このように、ＬＥＤホルダ４０１は、後部突き当て凸部４０２、前部位置決め部４０３及び保持部材４０４ａ、４０４ｂによってＬＥＤ２１０の前後左右の位置を決定する。また、後部突き当て部４０２をＬＥＤ２１０の外形寸法よりも若干内面に形成することにより容易に圧入効果を発揮し、固定することができる。これにより、挿入されたＬＥＤ２１０は、リード２０３の半田付け作業が実施されてもリードストレスが無いため光軸のズレが発生しにくい。
【００２６】
以上説明したように、本実施形態によるＬＥＤホルダは、前面部材及び背面部材が接着又は融着されるサイドビュー型のＬＥＤを保持する。ＬＥＤホルダは、背面部材を保持することなく前面部材を少なくとも２方向から挟み込んで保持するための第１保持部材と第２保持部材とを有する保持部を含む。これにより、本ＬＥＤホルダは、前面部材及び背面部材における組み付き公差の範囲でのズレによる光軸のズレを抑制しうる。よって、本ＬＥＤホルダは、安価なサイドビュー型のＬＥＤであっても、光軸の位置決め精度を向上させうる。
【００２７】
なお、本発明は、上記実施形態に限らず様々な変形が可能となる。第１保持部材及び第２保持部材の少なくとも一方は、弾性体で形成されてもよい。これにより、本ＬＥＤホルダは、ＬＥＤを容易に挿入しうる。
【００２８】
［第２の実施形態］
次に、図６及び図７を参照して、第２の実施形態について説明する。本実施形態は、第１の実施形態によるＬＥＤホルダに加えて、さらに安定してＬＥＤを装着する構成を追加している。図６は、第２の実施形態に対応するＬＥＤホルダの構成を示す斜視図である。図７Ａは、第２の実施形態に対応するＬＥＤホルダの構成を示す拡大図である。図７Ｂは、第２の実施形態に対応するＬＥＤが挿入されたＬＥＤホルダを示す断面図である。ここでは、第１の実施形態と異なる構成についてのみ詳細な説明を記載する。
【００２９】
図６に示すように、本実施形態によるＬＥＤホルダ６００は、図４に示す構成に加えて、レンズ受け部６０１を含む。図７Ａに示すように、レンズ受け部６０１は、前面部材２０４の球状レンズの外形に合わせて形成される。ＬＥＤ２００、２１０は、受け入れ部４０７に挿入される際、ＬＥＤ挿入冶具によってレンズ受け部６０１に突き当たるまで挿入される。
【００３０】
ここで、図７Ｂに示すように、レンズ受け部６０１は、球状レンズ２０２の外形となる球面の一部に合わせて形成される。これは、球状レンズ２０２を介して発光部からの光が出射されるため、出射される光を阻害しないように球状レンズ２０２の一部のみに合わせて形成される。しかしながら、このように、レンズ受け部６０１が球状レンズ２０２における球面の一部を保持するように形成されても、図５Ｃに示す球状レンズ受け入れ部４０８の形状と比較するとさらにＬＥＤ２００、２１０が安定して装着されることが理解されるであろう。これにより、ＬＥＤホルダ６００は、さらに光軸の位置決め精度を向上させうる。
【００３１】
［第３の実施形態］
図８を参照して、第３の実施形態について説明する。本実施形態では、受け入れ部の内壁の寸法が、背面部材の側面と、側面に対向する受け入れ部の内壁との干渉を抑制するために、前面部材と背面部材との組み付け公差を許容するように設計されることを特徴とする。図８は、第３の実施形態に対応するＬＥＤが挿入されたＬＥＤホルダを示す断面図である。ここでは、第２の実施形態の構成から異なる構成についてのみ詳細な説明を記載する。
【００３２】
本実施形態によるＬＥＤホルダ８００は、前面部材２０４と背面部材２０５との組み付け公差を許容するように受け入れ部４０７を形成している。例えば、前面部材２０４と背面部材２０５とが、図２Ａに示すように最小寸法の組み付け誤差（即ち、誤差なしの状態。）で接着又は融着された場合を想定する。この場合に、背面部材の側面８０１と、側面８０１に対向する受け入れ部４０７の内壁８０２との最短距離Ｘが前面部材２０４と背面部材２０５との組み付け誤差における最大寸法よりも長くなるように内壁の寸法が設計される。即ち、受け入れ部４０７が前面部材２０４及び背面部材２０５の最大組み付け誤差を許容するように空洞部８０３を形成する。図８では、一例として、一部分の最短距離Ｘを示したが、受け入れ部４０７は、背面部材２０５の側面と、受け入れ部４０７の内壁とが対向しあうことになる何れの位置においても上述した関係が成立するように形成される。
【００３３】
これにより、ＬＥＤホルダ８００は、ＬＥＤ２１０の背面部材２０５との干渉を抑制しうる。したがって、ＬＥＤホルダ８００は、組み付け公差によるＬＥＤの個体差に影響を受けることなく、どのようなＬＥＤであっても装着可能である。よって、ＬＥＤホルダ８００は、歩留まりの観点からみて、廃棄されるＬＥＤの数を削減しうる。
【００３４】
［第４の実施形態］
次に、図９を参照して、第４の実施形態について説明する。本実施形態では、第１保持部材及び第２保持部材が、ＬＥＤを受け入れる際に、第１保持部材及び第２保持部材により形成される挿入口とＬＥＤとによって発生しうる摩擦力を緩和することを特徴とする。そのため、挿入口を確定する第１保持部材及び第２保持部材の各縁部には、切り欠き部が設けられている。図９は、第４の実施形態に対応するＬＥＤが挿入されたＬＥＤホルダを示す側面図である。ここでは、第３の実施形態の構成から異なる構成についてのみ詳細な説明を記載する。
【００３５】
本実施形態によるＬＥＤホルダ９００は、縁部に切り欠き部９０２ａ、９０２ｂを有する保持部材９０１ａ、９０２ｂを含む。切り欠き部９０２ａ、９０２ｂは、挿入方向側の保持部材９０１ａ、９０１ｂの各縁部に形成される。このように各縁部が面取りされているので、ＬＥＤホルダ９００は、受け入れ部４０７へＬＥＤ２１０を挿入する際に、挿入口における摩擦力が緩和される。よって、ＬＥＤ２１０の挿入が容易に行える。
【００３６】
また、保持部材９０２ａ、９０２ｂのＬＥＤ２１０を保持する保持面９０３ａ、９０３ｂは、ＬＥＤ２１０の外形に合わせて形成されてもよい。これにより、ＬＥＤ２１０の挿入後において、ＬＥＤ２１０と接する保持面９０３ａ、９０３ｂは、当該ＬＥＤ２１０の外形に沿った形状であるため、ＬＥＤ２１０の固定機構として作用する。よって、ＬＥＤホルダ９００は、安価なサイドビュー型のＬＥＤを用いた場合であっても、さらに光軸の位置決め精度を向上させうる。
【００３７】
［第５の実施形態］
次に、図１０Ａ、Ｂを参照して、第５の実施形態について説明する。本実施形態は、第４の実施形態の構成から保持部材がＬＥＤを保持する保持面の幅が異なる。図１０Ａ、Ｂは、第５の実施形態に対応するＬＥＤが挿入されたＬＥＤホルダを示す図である。ここでは、第４の実施形態から異なる構成についてのみ詳細な説明を記載する。
【００３８】
本実施形態によるＬＥＤホルダ１０００は、保持面の幅が保持される前面部材２０２の側面の幅よりも狭く形成された保持部材１００１ａ、１００１ｂを含む。具体的に、図１０Ａに示すＬＥＤの挿入方向に対して直交方向となる保持部材１００１ｂの幅が、保持部材１００１ｂによって保持される前面部材２０２の幅Ｙよりも狭く形成される。このように保持部材１００１ａ、１００ｂを形成すると、図１０Ｂに示す前面部材２０４と背面部材２０５との接着によって形成される接着剤のはみ出し部分１００２を許容することができる。ここで、保持部材１００１ａ、１００１ｂの幅は、はみ出し部分１００２を許容する長さであって、さらに、前面部材２０２を保持することが可能な長さに調整される必要がある。
【００３９】
このように、本実施形態による保持部材１００１ａ、１００１ｂの幅は、前面部材２０２の側面の幅Ｙよりも狭く設定される。これにより、ＬＥＤホルダ１０００は、はみ出し部分１００２に保持部材１００１ａ、１００１ｂが干渉することによって発生する光軸のバラツキを抑制しうる。よって、ＬＥＤホルダ１０００は、さらに光軸の位置決め精度を向上させうる。
【図面の簡単な説明】
【００４０】
【図１】砲弾型のＬＥＤを収容する一体型のＬＥＤホルダの構成を示す断面図である。
【図２Ａ】、
【図２Ｂ】サイドビュータイプのＬＥＤの構成を示す図である。
【図３Ａ】、
【図３Ｂ】、
【図３Ｃ】従来のＬＥＤ装置の構成を示す図である。
【図４】第１の実施形態に対応するＬＥＤ装置の構成を示す斜視図である。
【図５Ａ】第１の実施形態に対応するＬＥＤホルダの構成を示す平面図である。
【図５Ｂ】、
【図５Ｃ】第１の実施形態に対応するＬＥＤが挿入されたＬＥＤホルダを示す図である。
【図６】第２の実施形態に対応するＬＥＤホルダの構成を示す斜視図である。
【図７Ａ】第２の実施形態に対応するＬＥＤホルダの構成を示す拡大図である。
【図７Ｂ】第２の実施形態に対応するＬＥＤが挿入されたＬＥＤホルダを示す断面図である。
【図８】第３の実施形態に対応するＬＥＤが挿入されたＬＥＤホルダを示す断面図である。
【図９】第４の実施形態に対応するＬＥＤが挿入されたＬＥＤホルダを示す側面図である。
【図１０Ａ】、
【図１０Ｂ】第５の実施形態に対応するＬＥＤが挿入されたＬＥＤホルダを示す図である。
【符号の説明】
【００４１】
２０２：球状レンズ
２０４：前面部材
２０５：背面部材
４０１：ＬＥＤホルダ
４０２：後部突き当て部
４０３：位置決め部
４０４ａ、ｂ：保持部材
４０５：光ガイド口
４０６ａ、ｂ：光規制ガイド
４０７：受け入れ部
４０８：球状レンズ受け入れ部
【図１】
2008117808.tif 000003
【図２Ａ】
2008117808.tif 000004
【図２Ｂ】
2008117808.tif 000005
【図３Ａ】
2008117808.tif 000006
【図３Ｂ】
2008117808.tif 000007
【図３Ｃ】
2008117808.tif 000008
【図４】
2008117808.tif 000009
【図５Ａ】
2008117808.tif 000010
【図５Ｂ】
2008117808.tif 000011
【図５Ｃ】
2008117808.tif 000012
【図６】
2008117808.tif 000013
【図７Ａ】
2008117808.tif 000014
【図７Ｂ】
2008117808.tif 000015
【図８】
2008117808.tif 000016
【図９】
2008117808.tif 000017
【図１０Ａ】
2008117808.tif 000018
【図１０Ｂ】
2008117808.tif 000019